(57)【要約】【課題】電源が不要で、かつ、紫外線を出すことがなく、走光性昆虫を効率よく捕獲できる捕虫器を提供する。【解決手段】走光性昆虫Ｆを誘引する発光誘引手段１と、発光誘引手段１に近づいてきた走光性昆虫Ｆを捕獲する虫捕獲手段２とを、備える捕虫器であって、発光誘引手段１が、走光性昆虫Ｆが最も誘引され易い色に発光する化学発光体１０を有している。【選択図】図１
2018038313.tif 000002
【特許請求の範囲】
【請求項１】
走光性昆虫（Ｆ）を誘引する発光誘引手段（１）と、該発光誘引手段（１）に近づいてきた走光性昆虫（Ｆ）を捕獲する虫捕獲手段（２）とを、備える捕虫器であって、
上記発光誘引手段（１）が、走光性昆虫（Ｆ）が最も誘引され易い色に発光する化学発光体（１０）を有していることを特徴とする捕虫器。
【請求項２】
走光性昆虫（Ｆ）が最も誘引され易い色に発光する化学発光体（１０）によって、走光性昆虫（Ｆ）を誘引し、
上記化学発光体（１０）に近づいてきた走光性昆虫（Ｆ）を、虫捕獲手段（２）で捕獲することを特徴とする昆虫捕獲方法。
【請求項３】
相違する色に発光する化学発光体（１０）を有する複数個の色予測用捕虫器（Ｙ）を、実験用区域（Ｅ0）に設置して、所定期間経過後に、各色予測用捕虫器（Ｙ）に捕獲された走光性昆虫（Ｆ）の数を計数して、走光性昆虫（Ｆ）が最も誘引され易い化学発光体（１０）の色を特定する色予測工程と、
上記走光性昆虫（Ｆ）が最も誘引され易い色に発光する化学発光体（１０）を有する本番用捕虫器（Ｚ）を、走光性昆虫（Ｆ）の生息予想区域（Ｅ）に設置して、上記化学発光体（１０）に誘引されて近づいてきた走光性昆虫（Ｆ）を捕獲する本番捕獲工程とを、備えることを特徴とする昆虫捕獲方法。
【発明の詳細な説明】
【技術分野】
【０００１】
本発明は、捕虫器及び昆虫捕獲方法に関する。
【背景技術】
【０００２】
従来、走光性を持つ昆虫を誘引するために光源から紫外線を放射させ、光源に誘引されて近づいてきた昆虫を粘着シートで捕獲する捕虫器が提案されている（特許文献１参照）。
【先行技術文献】
【特許文献】
【０００３】
【特許文献１】特開２０１６−２０４３号公報
【発明の概要】
【発明が解決しようとする課題】
【０００４】
しかし、従来の捕虫器は、庭や植込み等の屋外、又は、トンネルやマンホールの中などの電源の確保が困難な場所では、使用できないという欠点があった。
また、紫外線により劣化する虞のある絵画や仏像等の文化財の周辺では、使用が制限されるという問題があった。
【０００５】
そこで、本発明は、電源が不要で、かつ、紫外線を出すことがなく、走光性昆虫を効率よく捕獲できる捕虫器及び昆虫捕獲方法を提供することを目的とする。
【課題を解決するための手段】
【０００６】
本発明に係る捕虫器は、走光性昆虫を誘引する発光誘引手段と、該発光誘引手段に近づいてきた走光性昆虫を捕獲する虫捕獲手段とを、備える捕虫器であって、上記発光誘引手段が、走光性昆虫が最も誘引され易い色に発光する化学発光体を有しているものである。
【０００７】
また、本発明に係る昆虫捕獲方法は、走光性昆虫が最も誘引され易い色に発光する化学発光体によって、走光性昆虫を誘引し、上記化学発光体に近づいてきた走光性昆虫を、虫捕獲手段で捕獲する方法である。
また、相違する色に発光する化学発光体を有する複数個の色予測用捕虫器を、実験用区域に設置して、所定期間経過後に、各色予測用捕虫器に捕獲された走光性昆虫の数を計数して、走光性昆虫が最も誘引され易い化学発光体の色を特定する色予測工程と、上記走光性昆虫が最も誘引され易い色に発光する化学発光体を有する本番用捕虫器を、走光性昆虫の生息予想区域に設置して、上記化学発光体に誘引されて近づいてきた走光性昆虫を捕獲する本番捕獲工程とを、備える方法である。
【発明の効果】
【０００８】
本発明の捕虫器によれば、電源が不要で、電源の確保が困難な場所や狭い場所に設置できる。化学発光体の色を、走光性昆虫が好む最も誘引され易い色に対応させて、走光性昆虫を効率よく捕獲できる。雨天の屋外でも使用できる。化学発光体からは紫外線が出ないため、絵画、仏像等の文化財の周辺でも、好適に使用できる。
【０００９】
また、本発明の昆虫捕獲方法によれば、電源を必要とすることなく、化学発光体によって走光性昆虫を誘引できる。化学発光体の色を、走光性昆虫が好む最も誘引され易い色に対応させて、走光性昆虫を効率よく捕獲できる。紫外線を出さずに走光性昆虫を効率よく捕獲でき、絵画、仏像等の文化財の周辺で好適に使用できる。
【図面の簡単な説明】
【００１０】
【図１】本発明に係る捕虫器の実施の一形態を示した斜視図である。
【図２】本発明に係る捕虫器の他の実施形態を示した斜視図である。
【図３】化学発光体の要部拡大断面側面図である。
【図４】本発明に係る捕虫器の設置場所を示す断面側面図である。
【図５】本発明の昆虫捕獲方法を説明するための平面図である。
【図６】走光性昆虫の捕獲数を示すグラフ図である。
【図７】他の走光性昆虫の捕獲数を示すグラフ図である。
【図８】本発明の昆虫捕獲方法を説明するための平面図である。
【図９】別の走光性昆虫の捕獲数を示すグラフ図である。
【発明を実施するための形態】
【００１１】
以下、実施の形態を示す図面に基づき本発明を詳細に説明する。
図１は、本発明の捕虫器の実施の一形態を示している。
図１に示す本発明の捕虫器は、走光性昆虫Ｆが侵入可能な側方開口部６，６と複数の窓部８を有する折畳みケース体７を備え、折畳みケース体７の内部空間５に、走光性昆虫Ｆを誘引するための発光誘引手段１と、走光性昆虫Ｆを捕獲するための虫捕獲手段２とが、設けられている。走光性昆虫Ｆとは、例えば、ハエや蚊、蛾等である。
発光誘引手段１は、走光性昆虫Ｆが最も誘引され易い色に発光する化学発光体１０を有している。
虫捕獲手段２は、ケース体７の底壁内面に設けられた粘着シート９を有し、発光誘引手段１に近づいてきた走光性昆虫Ｆを粘着シート９（の粘着面）で捕まえる。なお、粘着シート９は、ケース体７の側壁内面、及び、天井壁内面に設けるも良い。
【００１２】
図３に示すように、化学発光体１０は、ガラス製の内筒体１１と、合成樹脂製の外筒体１２とを有する２重壁構造の円筒容器１３を備え、内筒体１１に収容される活性シュウ酸エステルと蛍光色素を有する蛍光液１６と、内筒体１１と外筒体１２の間に収容される過酸化水素水を有する酸化液１７とを、有している。
化学発光体１０を発光させる際、円筒容器１３を折り曲げて、ガラス製の内筒体１１だけを割って破損させ、内筒体１１から蛍光液１６を漏出させて、酸化液１７に混合する。蛍光液１６の活性シュウ酸エステルと、酸化液１７の過酸化水素水が化学反応を起こして、蛍光液１６に含まれる蛍光色素が励起され、発光状態となる。化学発光体１０の色は、蛍光液１６に含まれる蛍光色素によって決まり、例えば、青、緑、黄、赤などは単一の蛍光色素で良く、赤に黄を混ぜてオレンジとすることも可能である。化学発光体１０の発光状態は、６時間〜８時間継続する。
【００１３】
上述した本発明の捕虫器の使用方法（作用）について説明する。
図１に示すように、折畳みケース体７の粘着シート９の粘着面中央に化学発光体１０を取着する。化学発光体１０は、設置の直前に、円筒容器１３を折り曲げて発光状態としておく。
化学発光体１０を発光させた状態で、走光性昆虫Ｆを捕獲したい場所に設置する。発光状態の化学発光体１０によって、走光性昆虫Ｆを誘引し、化学発光体１０に近づいてきた走光性昆虫Ｆを、粘着シート９の粘着面（虫捕獲手段２）で捕獲する。
【００１４】
図４に示すように、本発明の捕虫器は、電源の確保が困難な場所や狭い場所に設置することが可能である。
例えば、図４（Ａ）に示すように、屋外の植込みＰと壁Ｗの間の狭小なスペースに設置することができ、電源を必要とせず、化学発光体１０の発光により走光性昆虫Ｆを誘引して、走光性昆虫Ｆを捕獲する。また、屋内に於ても、冷蔵庫等の載置物と壁Ｗの狭小なスペースに設置でき、電源を必要とすることなく化学発光体１０の光で走光性昆虫Ｆを誘引し捕獲する。
また、図４（Ｃ）に示すように、マンホールＭの内に設置して、化学発光体１０の光で走光性昆虫Ｆを誘引し捕獲することもできる。図示省略するが、地下鉄の線路脇やトンネル内、航空機のカーゴ室等のように、火災の危険性を最も避けたい場所に好適である。
【００１５】
図２は、本発明の捕虫器の他の実施形態を示している。
図２では、虫捕獲手段２として、殺虫剤入り泡（ムース）状体２２を収容した浅皿状容器（トレイ）２０を備え、浅皿状容器２０の上に、化学発光体１０が、支持部材２１に載置された状態で殺虫剤入り泡状体２２に埋もれないように設置されている。化学発光体１０の光に誘引されて近づいてきた走光性昆虫Ｆが、殺虫剤入り泡（ムース）状体２２によって捕獲される。
なお、化学発光体１０は、図３に示すものと同様である。
【００１６】
次に、本発明の昆虫捕獲方法について説明する。
先ず、走光性昆虫Ｆが最も誘引され易い色の化学発光体１０を特定する色予測工程を行う。
図５に示すように、相違する色に発光する化学発光体１０を各々に有する複数の色予測用捕虫器Ｙを、走光性昆虫Ｆが多数存在する実験用区域Ｅ０に設置する。具体的には、図１に示す折畳みケース体７を４個用意して、青、緑、黄に発光する化学発光体１０を取着したもの、及び、化学発光体無しのものを、４個の色予測用捕虫器Ｙとする。なお、色予測工程に於て、実験用区域Ｅ０には、培養した（又は、生きたまま捕獲した）多数の走光性昆虫Ｆを放して、走光性昆虫Ｆが最も誘引され易い色の化学発光体１０をより確実に特定する手法を採るのが好ましい。図例では、実験用区域Ｅ０が平面視矩形状の部屋であるため、４隅（４角）に色予測用捕虫器Ｙを設置する。
【００１７】
実験用区域Ｅ０に色予測用捕虫器Ｙを設置してから、所定期間経過後に、各色予測用捕虫器Ｙに捕獲された走光性昆虫Ｆを計数する。なお、色予測工程では、色予測用捕虫器Ｙの位置を３回入替えて走光性昆虫Ｆの計数を反復した。
【００１８】
図６は、捕獲対象の走光性昆虫Ｆがオオキモンノミバエであって、各色予測用捕虫器Ｙに捕獲された走光性昆虫Ｆ（オオキモンノミバエ）を計数した結果を示すグラフ図である。
図６に示すように、色予測用捕虫器Ｙに捕獲された走光性昆虫Ｆ（オオキモンノミバエ）の数は、青：緑：黄：化学発光体無し＝２８：２９：１０：３の比率となっており、走光性昆虫Ｆ（オオキモンノミバエ）が青又は緑の化学発光体１０に最も誘引され易いことが判る。
【００１９】
また、図７は、捕獲対象の走光性昆虫Ｆがキイロショウジョウバエである例で、各色予測用捕虫器Ｙに捕獲された走光性昆虫Ｆ（キイロショウジョウバエ）を計数した結果を示すグラフ図である。
図７に示すように、色予測用捕虫器Ｙに捕獲された走光性昆虫Ｆ（キイロショウジョウバエ）の数は、青：緑：黄：化学発光体無し＝７１：４７：１５：２の比率となっており、走光性昆虫Ｆ（キイロショウジョウバエ）が青の化学発光体１０に最も誘引され易いことが明らかである。
【００２０】
次に、図４に示すように、走光性昆虫Ｆが最も誘引され易い色に発光する化学発光体１０を有する本番用捕虫器Ｚを、走光性昆虫Ｆの生息予想区域Ｅに設置して、化学発光体１０に誘引されて近づいてきた走光性昆虫Ｆを捕獲する本番捕獲工程を行う。図１又は図２に図示の形状・構造は、色予測用捕虫器Ｙと本番用捕虫器Ｚとに共通させることも可能である。
オオキモンノミバエやキイロショウジョウバエといった分類毎に特化した本番用捕虫器Ｚを作成し、効率よく走光性昆虫Ｆを捕獲することが可能となる。また、図１に示すように粘着シート９を有するものや、図２に示すように殺虫剤入り泡状体２２を有するものを使用することで、生息予想区域Ｅの周囲の汚染を防止できる利点がある。しかも、粘着シート９の粘着面や（殺虫剤入り）泡状体２２は、電源を必要としない為、電源が確保できない場所での使用に好適である。
【００２１】
また、図８に示すように、相違する７色の化学発光体１０を各々に有する複数の色予測用捕虫器Ｙと、化学発光体無しの色予測用捕虫器Ｙを、（走光性昆虫Ｆが多数存在する）実験用区域Ｅ０に設置して、走光性昆虫Ｆが最も誘引され易い色の化学発光体１０を特定するも良い。化学発光体１０の色は、具体的に、青、緑、黄、赤、白、紫、橙の７色とする。８個の色予測用捕虫器Ｙは、円を描くように配置される。
図９は、走光性昆虫Ｆがオオキモンノミバエであって、各色予測用捕虫器Ｙに捕獲された走光性昆虫Ｆ（オオキモンノミバエ）を計数した結果を示すグラフ図である。
図９に示すように、色予測用捕虫器Ｙに捕獲された走光性昆虫Ｆ（オオキモンノミバエ）の数は、青：緑：黄：赤：白：紫：橙：化学発光体無し＝２３：３８：１４：３：２０：１６：１７：３の比率となっており、走光性昆虫Ｆ（オオキモンノミバエ）が最も誘引され易いのは緑で、２番目に誘引され易いのが青であることが判る。即ち、化学発光体１０は、紫外線を放射していないが、発光によって走光性昆虫Ｆを誘引することが明らかである。また、化学発光体１０の色によって波長が異なっており、走光性昆虫Ｆの誘引力に差があることが判明した。
【００２２】
なお、本発明は、設計変更可能であって、虫捕獲手段２は、図１に示す粘着シート９の粘着面、又は、粘着塗布による粘着面や、図２に示す殺虫剤入り泡状体２２以外でも良く、例えば、電源が確保できる場所であればエアー吸引式や感電殺虫式のものを用いても良い。
【００２３】
以上のように、本発明に係る捕虫器は、走光性昆虫Ｆを誘引する発光誘引手段１と、該発光誘引手段１に近づいてきた走光性昆虫Ｆを捕獲する虫捕獲手段２とを、備える捕虫器であって、上記発光誘引手段１が、走光性昆虫Ｆが最も誘引され易い色に発光する化学発光体１０を有しているので、電源が不要で、ショートによる火災の危険がなく、簡単に設置でき、また、電源の確保が困難な場所や狭い場所に設置できる。化学発光体１０の色を、走光性昆虫Ｆが好む最も誘引され易い色に対応させて、走光性昆虫Ｆを効率よく捕獲できる。雨天の屋外でも使用できる。化学発光体１０からは紫外線が出ないため、絵画、仏像等の文化財の周辺でも、好適に使用できる。
【００２４】
また、本発明に係る昆虫捕獲方法は、走光性昆虫Ｆが最も誘引され易い色に発光する化学発光体１０によって、走光性昆虫Ｆを誘引し、上記化学発光体１０に近づいてきた走光性昆虫Ｆを、虫捕獲手段２で捕獲するので、電源を必要とすることなく、化学発光体１０によって走光性昆虫Ｆを誘引できる。従って、ショートによる火災の危険がなく、簡単に設置でき、また、化学発光体１０の色を、走光性昆虫Ｆが好む最も誘引され易い色に対応させて、走光性昆虫Ｆを効率よく捕獲できる。紫外線を出さずに走光性昆虫Ｆを効率よく捕獲でき、絵画、仏像等の文化財の周辺で好適に使用できる。
【００２５】
また、相違する色に発光する化学発光体１０を有する複数個の色予測用捕虫器Ｙを、実験用区域Ｅ０に設置して、所定期間経過後に、各色予測用捕虫器Ｙに捕獲された走光性昆虫Ｆの数を計数して、走光性昆虫Ｆが最も誘引され易い化学発光体１０の色を特定する色予測工程と、上記走光性昆虫Ｆが最も誘引され易い色に発光する化学発光体１０を有する本番用捕虫器Ｚを、走光性昆虫Ｆの生息予想区域Ｅに設置して、上記化学発光体１０に誘引されて近づいてきた走光性昆虫Ｆを捕獲する本番捕獲工程とを、備えるので、走光性昆虫Ｆが好む最も誘引され易い色に化学発光体１０を確実に対応させることができ、効率よく走光性昆虫Ｆを捕獲できる。走光性昆虫Ｆの分類に特化して、走光性昆虫Ｆの捕獲能率を向上できる。化学発光体１０は、電源を必要とすることなく、電源の確保が難しい場所であっても、化学発光体１０の光によって走光性昆虫Ｆを誘引できる。電気のショートによる火災の危険を避けねばならない場所にも使用可能であり、航空機のカーゴ室等にも好適である。さらに、紫外線を出さずに走光性昆虫Ｆを効率よく捕獲でき、絵画、仏像等の文化財の周辺で好適に使用できる。
【符号の説明】
【００２６】
１  発光誘引手段
２  虫捕獲手段
１０  化学発光体
Ｆ  走光性昆虫
Ｙ  色予測用捕虫器
Ｚ  本番用捕虫器
Ｅ０  実験用区域
Ｅ  生息予想区域
【図１】
2018038313.tif 000003
【図２】
2018038313.tif 000004
【図３】
2018038313.tif 000005
【図４】
2018038313.tif 000006
【図５】
2018038313.tif 000007
【図６】
2018038313.tif 000008
【図７】
2018038313.tif 000009
【図８】
2018038313.tif 000010
【図９】
2018038313.tif 000011